(57)【特許請求の範囲】
【請求項１】
レーザ光源と、前記レーザ光源を支持する光源支持部材と、前記レーザ光源から出射するレーザ光を結像させる結像レンズと、前記結像レンズを支持する結像レンズ支持体と、を有する光源装置において、
前記光源支持部材は、前記レーザ光源の光軸に対して垂直な方向において前記光源支持部材の外周面から突出した複数の突起を有し、前記結像レンズ支持体は、前記複数の突起にそれぞれ近接して配設される複数の突出部を有し、前記突出部の突出方向は、前記レーザ光源の光軸を中心とする仮想円の接線方向であり、前記光源支持部材の前記複数の突起は、光硬化型接着剤によって前記結像レンズ支持体の前記複数の突出部の先端部とそれぞれ接着固定されていることを特徴とする光源装置。
【請求項２】
前記光源支持部材の前記複数の突起は、該接着剤が塗布される接着平面を有し、前記接着平面は、前記結像レンズ支持体の前記突出部の先端部と対向するように配置され、前記レーザ光源の光軸から見て該仮想円の接線より外側に該接着剤の塗布位置を有していることを特徴とする請求項１に記載の光源装置。
【請求項３】
前記突出部の先端部は、第１側面と、前記第１側面よりも前記レーザ光源に近い第２側面と、を有した尖鋭な形状であり、前記第１側面と前記突起の前記接着平面とが成す二面角は、前記第２側面と前記突起の前記接着平面とが成す二面角よりも角度が大きいことを特徴とする請求項２に記載の光源装置。
【請求項４】
前記光源支持部材の複数の突起は、前記レーザ光源の光軸周りに均等な角度を隔てて配置されていることを特徴とする請求項１に記載の光源装置。
【請求項５】
一方向に配列された複数のレーザ光源と、前記複数のレーザ光源を各々に支持する複数の光源支持部材と、前記複数のレーザ光源から出射するレーザ光を結像させる結像レンズと、前記結像レンズを支持する１つの結像レンズ支持体と、を有する光源装置において、
前記光源支持部材は、前記レーザ光源の光軸に対して垂直な方向において前記光源支持部材の外周面から突出した複数の突起を有し、前記１つの結像レンズ支持体は、前記複数の光源支持部材の各々に対して、前記複数の突起にそれぞれ近接して配設される複数の突出部を有し、前記突出部の突出方向は、前記レーザ光源の光軸を中心とする仮想円の接線方向であり、前記光源支持部材の前記複数の突起は、光硬化型接着剤によって前記結像レンズ支持体の前記複数の突出部の先端部とそれぞれ接着固定されていることを特徴とする光源装置。
【請求項６】
前記結像レンズは、複数のレーザ光を結像する複眼レンズであって、前記複眼レンズ部間の中央位置に前記結像レンズ支持体への突き当て部を有することを特徴とする請求項５に記載の光源装置。
【発明の詳細な説明】
【技術分野】
【０００１】
本発明は、レーザビームプリンタやデジタル複写機など画像形成装置に使用される光学走査装置の光源装置に関するものである。
【背景技術】
【０００２】
電子写真方式による画像形成装置に用いられる光学走査装置としては、従来例えば特開２００７−１２１３４１がある。これを図９及び図１０で簡単に説明する。
【０００３】
図９において、１０１は半導体レーザ、１０２はレーザ支持体、１０３はコリメータレンズ、１０４はシリンドリカルレンズ、１０５はポリゴンミラー、１０６は走査レンズであり、これらの光学部品類は光学箱１０７に取り付けられてユニット化されている。
【０００４】
半導体レーザ１０１が固定されているレーザ支持体１０２をコリメータレンズ１０３に対して位置調整する。これにより、半導体レーザ１０１とコリメータレンズ１０３のピント及び光軸の調整がなされ、光硬化型接着剤１１０で固定される。
【０００５】
上記構成では、半導体レーザ１０１とコリメータレンズ１０３を光学箱１０７に直接固定している。これにより、半導体レーザ１０１とコリメータレンズ１０３をユニット化している光源装置に比べて光源装置を光学箱に固定する際の取り付け誤差が少なくなり、調整精度の向上や工程の簡素化を図ることができる。
【０００６】
図１０は、光学箱１０７（または、レーザ支持体１０２）に形成された接着用突起１０９を半導体レーザ１０１の光軸に垂直な平面で切った断面図である。接着用突起１０９は、その断面が光軸から見て外側に向かって広がった形状となっている。レーザ支持体１０２の位置調整後に、レーザ支持体１０２は、光硬化型接着剤１１０によって光学箱１０７に接着固定される。
【０００７】
光硬化型接着剤１１０は、硬化用の光を照射する際に何かの影になって光が当たらない部分では硬化しない。そのため上記構成では、接着用突起１０９を外側に向かって広がった形状とすることにより、接着剤硬化用の光が照射される側（図１０の上下）に向かって接着用突起１０９とレーザ支持体１０２との隙間が広くなるようにしている。この隙間に接着剤を充填することにより影になる部分が生ずることなく全体的に光が当たるので、接着剤を確実に硬化させることができる。
【特許文献１】特開２００７−１２１３４１
【発明の開示】
【発明が解決しようとする課題】
【０００８】
しかしながら特許文献１に記載の形態では、レーザ支持体１０２が受ける光硬化型接着剤１１０の硬化収縮による引っ張り力は、主として半導体レーザ１０１の光軸中心に向かう方向に作用する構成となっている。そのため、光硬化型接着剤１１０の上下、左右の塗布量のばらつき等によって、２箇所の接着剤１０１の硬化収縮による引っ張り力の大きさや方向にばらつきが生じるため、レーザ支持体１０２の位置変動が起こりやすいといった課題がある。レーザ支持体１０２の位置変動は、半導体レーザ１０１の光軸の位置変動となるので、光源装置としての光軸ずれとなり性能の悪化を招く。
【０００９】
さらには、カラー画像形成装置の小型化への要求の高まりに伴って複数の光源が近接している構成が求められているため、特許文献１に記載の形態では光源装置として必要な剛性を確保するための部品配置スペース、光硬化型接着剤を効率良く硬化させるための光照射スペース等を確保するのが難しい。
【課題を解決するための手段】
【００１０】
上記目的を達成するために本出願に係る発明は、以下のように光源装置を構成する。
【００１１】
レーザ光源と、前記レーザ光源を支持する光源支持部材と、前記レーザ光源から出射するレーザ光を結像させる結像レンズと、前記結像レンズを支持する結像レンズ支持体と、を有する光源装置において、
前記光源支持部材は、前記レーザ光源の光軸に対して垂直な方向において前記光源支持部材の外周面から突出した複数の突起を有し、前記結像レンズ支持体は、前記複数の突起にそれぞれ近接して配設される複数の突出部を有し、前記突出部の突出方向は、前記レーザ光源の光軸を中心とする仮想円の接線方向であり、前記光源支持部材の前記複数の突起は、光硬化型接着剤によって前記結像レンズ支持体の前記複数の突出部の先端部とそれぞれ接着固定されていることを特徴とする。
【００１２】
また、一方向に配列された複数のレーザ光源と、前記複数のレーザ光源を各々に支持する複数の光源支持部材と、前記複数のレーザ光源から出射するレーザ光を結像させる結像レンズと、前記結像レンズを支持する１つの結像レンズ支持体と、を有する光源装置において、
前記光源支持部材は、前記レーザ光源の光軸に対して垂直な方向において前記光源支持部材の外周面から突出した複数の突起を有し、前記１つの結像レンズ支持体は、前記複数の光源支持部材の各々に対して、前記複数の突起にそれぞれ近接して配設される複数の突出部を有し、前記突出部の突出方向は、前記レーザ光源の光軸を中心とする仮想円の接線方向であり、前記光源支持部材の前記複数の突起は、光硬化型接着剤によって前記結像レンズ支持体の前記複数の突出部の先端部とそれぞれ接着固定されていることを特徴とする。
【発明の効果】
【００１３】
以上のように、本発明によれば、光硬化型接着剤の硬化収縮による引っ張り力がレーザ光源の光軸を中心とする回転方向に働く力として作用するため、レーザ光源の位置変動を抑えて、光源装置としての光軸ずれを抑制することができる。
【００１４】
また、複数の光源が一方向に配列された構成においては、上記効果に加えて、効率的に光硬化型接着剤に硬化用の光を当てるための照射スペースを確保して、短い照射時間で光硬化型接着剤を硬化させることができる。このため、光軸ずれを抑えつつ、製造タクトの短い光源装置が実現できる。
【発明を実施するための最良の形態】
【００１５】
（第１実施形態）
図１、図２、図３を用いて本発明に適用できる第１の実施形態を説明する。説明にあたっては、光学走査装置５０について説明した後、本発明の特徴部分である光源装置３１について説明ある。
【００１６】
（光学走査装置５０）
図２は、光源装置を搭載する光学走査装置についての説明図である。ここで、本光学走査装置は、Ｙ（イエロー）、Ｍ（マゼンタ）、Ｃ（シアン）、Ｂｋ（ブラック）の４色の感光体にカラー画像を形成するタンデム形式のカラー画像形成装置に好適な光学走査装置である。
【００１７】
図２に示す光学走査装置５０は、ポリゴンミラー７３、走査レンズ７５、７６、７７、折り返しミラー７８、７９、８０、８１を１つの光学枠体９０内に備えている。更に、光学枠体９０には、光源装置３１ａ、３１ｂが取り付けられている。
【００１８】
光源装置３１ａ、３１ｂは、Ｙ（イエロー）、Ｍ（マゼンタ）、Ｃ（シアン）、Ｂｋ（ブラック）の各色毎に変調されたレーザ光を出射するレーザ光源である半導体レーザ１Ｙ、１Ｍ、１Ｃ、１Ｂｋを内有している。そして、これらの半導体レーザ１は、それぞれ回路基板８２ａ、８２ｂに接続されている。
【００１９】
この半導体レーザ１Ｙ、１Ｍ、１Ｃ、１Ｂｋは、後述する光源装置３１ａ、３１ｂに各々上下に２つずつ配設されている。半導体レーザ１から出射したレーザ光は、結像レンズ（図１参照）を通過した後に高速で回転するポリゴンミラー７３の異なる２つ反射面７３ａ、７３ｂ上に線状に結像する。
【００２０】
ポリゴンミラー７３は駆動モータ７４によって高速に回転されている。ポリゴンミラー７３によって偏向されたレーザ光は、ポリゴンミラー７３の回転軸に対して対称に配置された複数の走査レンズ７５、７６、７７や折り返しミラー７８、７９、８０、８１によって各々に対応する感光体（不図示）上に導光され走査する。
【００２１】
画像の書き出し位置は、例えばＢｋ（ブラック）のレーザ光を同期検知センサ８３によって検出し、他の３色の画像形成タイミング設定と画像情報のデータ送信を反転することによって合わせることができる。
【００２２】
（光源装置３１）
次に光源装置３１を詳細に説明する。図１は第１実施形態に係る光源装置を表した図である。尚、本実施形態の光学走査装置は、２つの半導体レーザ１ａ（図２中、１Ｍ及び１Ｃ）、１ｂ（図２中、１Ｙ及び１Ｂｋ）を有し、各々別の被走査体である感光体に対して走査する。このため、本実施形態の光源装置３１は上下２段構成となっている。
【００２３】
図１（ａ）に光源装置３１の斜視図、図１（ｂ）に光源装置３１を半導体レーザの背面側から見た図を示す。図に示すように、光源装置３１は、レーザ光源としての半導体レーザ１ａ、１ｂと、結像レンズとしての複眼のアナモフィックレンズ２とを有する。アナモフィックレンズ２は、主走査方向と副走査方向に異なるパワーを持つレンズ部を上下２ヶ所に配設している。ここで、主走査方向とは、ポリゴンミラー７３によって偏向されたレーザ光が感光体上を走査する方向と平行な方向であり、副走査方向とは、ポリゴンミラー７３の回転軸と平行な方向である。
【００２４】
尚、本実施例では、結像レンズとしてアナモフィックレンズ２を有しているが、これに限るものでは無く、コリメータレンズのみ、もしくは、コリメータレンズとシリンドリカルレンズの２つを有する構成でも良い。
【００２５】
半導体レーザ１ａ、１ｂはそれぞれ光源支持部材であるレーザ支持部材５ａ、５ｂに圧入などの既知の技術によって固定されている。アナモフィックレンズ２は、結像レンズ支持体６に対して接着などの既知の技術によって固定されている。またレーザ支持部材５ａ、５ｂは、結像レンズ支持体６に対して高精度に位置調整された後に、光硬化型接着剤によって結像レンズ支持体６と接着固定されている。
【００２６】
図３は、光源装置３１の半導体レーザ１ａ、１ｂの光軸を含む平面の断面図である。この光源装置においては、半導体レーザ１ａ、１ｂから出射した発散光たるレーザ光Ｌａ、Ｌｂは、各々アナモフィックレンズ２を通過し、主走査方向には平行光化され、副走査方向には収束光化される。
【００２７】
また、図３に示すように、半導体レーザ１ａから出射したレーザ光Ｌａと半導体レーザ１ｂから出射したレーザ光Ｌｂは、アナモフィックレンズ２を透過した後に互いに所定の角度θを持つように配置されている。これにより、レーザ光Ｌａ、Ｌｂは、図２記載のポリゴンミラー７３の反射面上で近接した位置に入射している。
【００２８】
以下に、図を用いて光源装置３１組立時のレーザ支持部材５ａ、５ｂの位置調整方法とその固定方法について記述するが、レーザ支持部材５ａとレーザ支持部材５ｂは同構成のため、代表してレーザ支持部材５ａを用いて説明する。
【００２９】
図４は調整工具を用いたレーザ支持部材５ａの位置調整の概要を示す図である。
【００３０】
レーザ支持部材５ａをアナモフィックレンズ２に対して位置調整する調整工具は、チャック５１ａ、５１ｂと工具レンズ５２、５３と観察系５４と光照射装置５５とから構成されている。チャック５１ａ、５１ｂはレーザ支持部材５ａを把持し、不図示の移動装置によって光軸方向Ｘ、光軸と直交する方向Ｙ及びＺの３軸方向に移動可能になっている。観察系５４はＣＣＤカメラなどから構成され、レーザ光束Ｌａの結像状態および結像している位置を精度良く測定できる。光照射装置は例えば紫外線硬化型接着剤を硬化させる紫外線照射装置である。
【００３１】
アナモフィックレンズ２が接着固定された結像レンズ支持体６は調整工具の基準位置に取り付けられている。半導体レーザ１ａを内有するレーザ支持部材５ａはチャック５１ａ、５１ｂに把持された状態で光軸方向Ｘに移動し、アナモフィックレンズ２と半導体レーザ１ａの距離を微調整することにより所定の位置で結像するようにピント合わせを行う。さらに、このチャック５１ａ、５１ｂはＹ、Ｚ方向に移動することで所定の照射位置にレーザ光束Ｌａが照射するよう調整される。
【００３２】
これら一連の調整を実施した後に結像レンズ支持体６にレーザ支持部材５ａを光硬化型接着剤で固定する方法について、図５（ａ）、（ｂ）を用いて詳述する。
【００３３】
図５（ａ）はレーザ支持部材５ａを半導体レーザ１ａの光軸方向の出射側から見たＡ−Ａ’断面図である。図５（ａ）に示すように、レーザ支持部材５ａは、チャック５１ａ、５１ｂに把持されるための２ヶ所のフランジ部１１ａ、１１ｂと、フランジ部からレーザ光束Ｌａの光軸方向に突出した円筒部１２と、円筒部の外周面から突出したレーザ接着用突起１３ａ、１３ｂ、１３ｃとを有する。
【００３４】
レーザ支持部材５ａを支持する結像レンズ支持体６には、レーザ支持部材５ａのレーザ接着用突起１３ａ、１３ｂ、１３ｃに形成される接着面（接着平面）１６ａ、１６ｂ、１６ｃと僅かな隙間を設けて接着用突起（突出部）１４ａ、１４ｂ、１４ｃが配設されている。この接着用突起１４ａ、１４ｂ、１４ｃは、その先端の両側に側面を有する尖鋭な形状である。さらに、この接着用突起１４ａ、１４ｂ、１４ｃの先端がレーザ接着用突起の接着面１６ａ、１６ｂ、１６ｃに対向する突出方向は、半導体レーザ１ａの光軸を中心とする仮想円１５の接線方向である。この構成により、光硬化型接着剤の硬化収縮による引っ張り力が主として半導体レーザ１ａの光軸を中心とする回転方向に働く力として作用するため、半導体レーザ１ａの位置変動を抑えて、光源装置としての光軸ずれを抑制することができる。
【００３５】
ここで、接着用突起１４ａ、１４ｂ、１４ｃの先端がレーザ接着用突起の接着面１６ａ、１６ｂ、１６ｃに対向する突出方向は、半導体レーザ１ａの光軸を中心とする仮想円１５の接線方向と完全一致している必要はなく、略接線方向であればよい。これは、光硬化型接着剤の硬化収縮による引っ張り力が主として回転方向に働く力として作用すれば十分に効果を奏するからである。
【００３６】
また、レーザ支持部材５ａの３ヶ所のレーザ接着用突起１３ａ、１３ｂ、１３ｃは、レーザ支持部材５ａの外周面にそって均等な角度を隔てて配置されている。この構成により、光硬化型接着剤の硬化収縮による引っ張り力が、主として働く方向（回転方向）以外にも生じたとしても、均等配置された３ヶ所の引っ張り力同士が互いに打ち消す方向に働くため、半導体レーザ１ａの位置変動をより抑えることができる。
【００３７】
図５（ｂ）はレーザ支持部材５ａのレーザ接着用突起１３ａと結像レンズ支持体６の接着用突起１４ａの部分拡大図である。接着用突起１４ａの尖端を形成する両側面をＶ１面及びＶ２面とし、レーザ接着用突起１３ａの接着面１６ａとのなす二面角を各々β１、β２と表している。
【００３８】
このとき、レーザ接着用突起１３ａの接着面１６ａは、Ｖ１面側（半導体レーザの光軸から見て仮想円の接線より外側）に接着剤の塗布位置を有している。この接着剤の塗布位置は、３箇所のレーザ接着用突起１３ａ、１３ｂ、１３ｃの接着面１６ａにおいて、全て外側（Ｖ１面側）となるようにしている。このように接着剤の塗布位置を外側にしたことにより、光硬化型接着剤２１を塗布して光を照射するためのスペースを十分に確保することができる。また、接着剤の塗布位置を全て同じ側（Ｖ１面側）に揃えたことにより、接着剤の塗布量に多少のばらつきがあっても接着剤の硬化収縮による引っ張り力が同一方向に働きやすいため、半導体レーザ１ａの位置変動をより抑えることができる。
【００３９】
また、本実施形態においては、Ｖ１面と接着面１６ａとがなす二面角β１は他方の二面角β２より大きくなるように形成されている。この構成により、光硬化型接着剤２１を塗布して光を照射するためのスペースがより確保されるので、接着剤硬化用の光をより照射し易い構成となっている。
【００４０】
一方、接着用突起１４ａと接着面１６ａの間にはレーザ支持部材５ａの位置を調整できるように若干の隙間が設けられているので、接着用突起１４ａのＶ２面側にも光硬化型接着剤２１が回り込むことは避けられない。そのため、光照射装置５５からの照射光をＶ１面側だけでなくＶ２面側からも当てる必要がある。しかしながら、Ｖ２面側は接着剤の回りこみ分であり、Ｖ１面側に比べると接着剤の量は少なくなる。よって、Ｖ２面側の光硬化型接着剤２１を硬化させるために必要な光量は少なくて済み、接着面１６ａとのなす角β２が小さくても十分である。従って、図６が示すように、Ｖ２面側の光照射は、他のＶ１面側の光照射装置５５による光照射と共用することができる。
【００４１】
図６は、光源装置３１の接着箇所への光照射の概略図であり、２つのレーザ支持部材５ａ、５ｂが副走査方向に並設された光源装置をレーザ支持部材５ａの光軸方向の出射側から見た断面図である。このような２つのレーザ支持部材５ａ、５ｂが副走査方向に近接配置された構成においても、本実施形態を適用すれば、光源装置として必要な剛性を確保しつつ、接着剤硬化用の光の照射スペースも十分に確保できるので、光硬化型接着剤を効率良く硬化させることができる。
【００４２】
図７のレーザ支持部材５ａを光軸に垂直な方向から見た図を用いてこの作用を説明する。光硬化型接着剤２１が半導体レーザ１ａの光軸周りに配置された接着面１６ａ、１６ｂ、１６ｃと接着用突起１４ａ、１４ｂ、１４ｃの各Ｖ１面で形成されたスペースに塗布される。光硬化型接着剤２１の硬化収縮による引っ張り力は接着剤の厚膜方向に最も強く働くので、３ヶ所の接着箇所で働く光硬化型接着剤２１の引っ張り力の主方向は各々４１ａ、４１ｂ、４１ｃとなる。これらの引っ張り力は半導体レーザ１ａの光軸を中心として円周方向に働くため、円周の中心に配置された半導体レーザ１ａの位置は変わり難く、これ故に光源装置３１から照射されるレーザ光束Ｌａの照射位置ずれが発生しにくい。
【００４３】
本実施形態の特徴は、光硬化型接着剤２１の硬化収縮によって生じるレーザ支持部材５ａへの引っ張り力を、半導体レーザ１ａの光軸を中心とした回転方向に作用させることにより、半導体レーザ１ａの発光点の位置変動を抑えることにある。それゆえに、光源装置３１から出射したレーザ光束Ｌａの光軸ずれが抑えられ、高精度の調整組立が行える構成である。
【００４４】
尚、本実施形態では、３ヶ所の接着箇所を半導体レーザ１ａの光軸周りに均等な角度を隔てて配置している。しかし、接着箇所の数やその相対位置はこの実施例に限るものではなく、例えば４ヶ所の接着箇所であってもよい。また、レーザ接着用突起１３は、その断面が略三角形状であり、接着面が平面であるものを示したが、形状はこれに限るものではない。突起１３の断面が円弧状や凸凹状であってもよく、接着面が曲面であってもよい。
【００４５】
（第２の実施形態）
図８を用いて本発明に適用できる第２の実施形態を説明する。本実施形態は第１の実施形態で示した光源装置の構成に加えて、光源装置の環境変化によるアナモフィックレンズとその位置決め方法に特徴を有する構成である。なお、前述した第１の実施形態と同様の構成については、説明を省略する。
【００４６】
図８は、第２の実施形態の光源装置を説明する図である。光源装置を組み付ける際に、レンズ支持体２０６に対するアナモフィックレンズ２０２の位置は非常に高い精度が必要である。このため、本実施形態は、レンズ支持体２０６が設けられた位置決め基準２０６ａにアナモフィックレンズ２０２の位置決め部２０２ｃを突き当てて位置決めを行う構成である。
【００４７】
一般的にレンズ支持体には、高強度、低吸湿性、低熱膨張が求められ、ガラス繊維を含有した樹脂部品を使用することが多く、樹脂の中でも線膨張係数が低い材料を使用する。これに対してアナモフィックレンズは、低コストで形状の自由度が大きい透明な光学樹脂材料が使用されることが多くなっていることより、結像レンズ支持体に使用される樹脂部材に比べて線膨張係数が大きくなる。
【００４８】
アナモフィックレンズとその支持体という２つの部品で線膨張係数が違うと、温度変化が起こった際に各々の部品の熱膨張量が異なる。当接されたこれら２つの部品は熱膨張量の違いによって２つの部品の相対位置がずれることになる。
【００４９】
このようにアナモフィックレンズ２０２とレンズ支持体２０６の熱膨張差によってアナモフィックレンズ２０２とレンズ支持体２０６の相対位置がずれると、アナモフィックレンズとレンズ支持体に固定されている半導体レーザとの相対位置がずれることになる。
【００５０】
本実施形態で示す複眼のアナモフィックレンズ２０２のような形状の場合、中心付近から均等に膨張する。この熱膨張量は長さに比例して大きくなるので、アナモフィックレンズ２０２のレンズ支持体２０６との当接位置が副走査方向の端面２０２ａ、２０２ｂにある場合に最も熱膨張の影響を受けて位置ずれが発生しやすい。これに対して、当接位置をアナモフィックレンズ２０２の複眼レンズ部間の中央位置に設けられた位置決め部２０２ｃに配置することにより、熱膨張の影響を受け難くなる。この構成により、光源装置の温度変化によるアナモフィックレンズと半導体レーザの相対位置ずれを抑制することができ、レーザ光束の照射位置ずれを低減した高性能な光源装置が可能となる。このような光源装置を用いた光学走査装置は、カラーレジストレーションの安定化に重要な役割を有するものである。
【００５１】
尚、本実施形態においては、アナモフィックレンズ２０２の位置決め部２０２ｃとして、凸形状を設けた例を示したが、位置決め部の形状はこれに限るものではなく、凹形状や位置決めピンなどを当接する構成でも同様な効果を得ることができる。
【図面の簡単な説明】
【００５２】
【図１】（ａ）第１の実施形態の光源装置の斜視図である。（ｂ）第１の実施形態の光源装置を半導体レーザの背面側から見た図である。
【図２】第１の実施形態の光源装置を搭載した光学走査装置の斜視図である。
【図３】第１の実施形態の光源装置の断面図である。
【図４】第１の実施形態の組立調整方法の概要を説明する図である。
【図５】（ａ）第１の実施形態のレーザ支持部材を光軸方向の出射側から見た断面図である。（ｂ）第１の実施形態のレーザ支持部材を光軸方向の出射側から見た部分拡大断面図である。
【図６】第１の実施形態の光源装置の接着箇所への光照射の概略図である。
【図７】第１の実施形態のレーザ支持部材を光軸方向の出射側から見た断面図である。
【図８】第２の実施形態の光源装置を説明する図である。
【図９】従来の光学走査装置の斜視図である。
【図１０】従来の光源装置を説明する図である。
【符号の説明】
【００５３】
１ａ、１ｂ  半導体レーザ（レーザ光源）
２  アナモフィックレンズ（結像レンズ）
５ａ、５ｂ  レーザ支持部材（光源支持部材）
６  結像レンズ支持体
１３ａ、１３ｂ、１３ｃ  レーザ接着用突起
１４ａ、１４ｂ、１４ｃ  接着用突起（突出部）
１６ａ、１６ｂ、１６ｃ  接着面（接着平面）
２１  光硬化型接着剤
【図１】
0005084423.tif 000002
【図２】
0005084423.tif 000003
【図３】
0005084423.tif 000004
【図４】
0005084423.tif 000005
【図５】
0005084423.tif 000006
【図６】
0005084423.tif 000007
【図７】
0005084423.tif 000008
【図８】
0005084423.tif 000009
【図９】
0005084423.tif 000010
【図１０】
0005084423.tif 000011